(57)【要約】【課題】複数の医療施設間における検査予約を利用するユーザの手間を低減させる。【解決手段】検査予約サーバ１は、診療所内システム２Ａから病院内システム２Ｂにおける検査の予約を受け付けて検査結果を管理する。検査予約サーバ１は、病院内システム２Ｂにおいて患者の受付処理は済んでいるが、検査結果が病院内システム２Ｂから検査予約サーバ１に送信されていない場合に、検査結果の送信を促す旨のメールを病院内システム２Ｂに送信する。また、病院内システム２Ｂの病院内端末装置３０では、病院内システム２Ｂにおいて患者の受付処理は済んでいるが、検査結果が病院内システム２Ｂから検査予約サーバ１に送信されていない検査の一覧（未送信リスト）を表示して、ユーザに検査結果の送信を促す。【選択図】図１
2012146043.tif 000002
【特許請求の範囲】
【請求項１】
複数の医療施設のそれぞれに設けられた施設内システムと、当該複数の施設内システムのうち一の施設内システムから他の施設内システムにおける検査の予約を受け付けて検査結果を管理する検査予約サーバと、が通信ネットワークを介してデータ通信可能に接続された検査予約システムであって、
前記検査予約サーバは、
前記一の施設内システムから受け付けた予約に係る検査の進行状態を示す検査ステータス情報を含む当該検査の予約に関する検査予約情報と、前記他の施設内システムにおいて行われた当該検査の検査結果と、を対応付けて記憶する記憶手段と、
前記他の施設内システムから前記通信ネットワークを介して取得した情報に基づいて前記検査ステータス情報を変更する変更手段と、
を備え、
前記検査ステータス情報は、検査が予約された状態、前記他の施設内システムにおいて患者の受付処理が済んだ状態、前記他の施設内システムにおいて検査が終了した状態、又は、前記他の施設内システムから前記検査予約サーバに検査結果が送信された状態のいずれかを示す情報を含み、
当該検査予約システムは、
前記検査予約情報に含まれる検査ステータス情報に基づいて、前記他の施設内システムにおいて当該検査予約情報に係る患者の受付処理が済んでいるか否か、及び、当該検査予約情報に対応する検査結果が前記他の施設内システムから前記検査予約サーバに送信されているか否かを判断し、当該患者の受付処理は済んでいるが当該検査結果が前記他の施設内システムから前記検査予約サーバに送信されていない場合に、当該検査結果の送信を促す警告手段を備える検査予約システム。
【請求項２】
前記検査予約サーバは、
前記警告手段と、
前記複数の施設内システムに対応するメールアドレスを記憶するメールアドレス記憶手段と、
を備え、
前記警告手段は、前記検査予約情報に含まれる検査予約日から予め定められた日数が経過しているか否かを判断し、前記検査予約日から前記予め定められた日数が経過している場合であって、かつ、前記検査予約情報に係る患者の受付処理は済んでいるが前記検査予約情報に対応する検査結果が前記他の施設内システムから前記検査予約サーバに送信されていない場合に、前記メールアドレス記憶手段から前記他の施設内システムに対応するメールアドレスを読み出し、当該メールアドレス宛てに当該検査結果の送信を促す旨のメールを送信する、
請求項１に記載の検査予約システム。
【請求項３】
前記警告手段は前記他の施設内システムが備えるものであり、
前記警告手段は、前記検査予約情報に係る患者の受付処理は済んでいるが前記検査予約情報に対応する検査結果が前記他の施設内システムから前記検査予約サーバに送信されていない検査の一覧を表示手段に表示させる、
請求項１に記載の検査予約システム。
【請求項４】
前記警告手段は、前記検査予約情報に含まれる検査予約日から予め定められた日数が経過しているか否かを判断し、前記検査予約日から前記予め定められた日数が経過している場合に、その旨を前記表示手段に表示させる、
請求項３に記載の検査予約システム。
【請求項５】
複数の医療施設のそれぞれに設けられた施設内システムと通信ネットワークを介してデータ通信可能に接続され、当該複数の施設内システムのうち一の施設内システムから他の施設内システムにおける検査の予約を受け付けて検査結果を管理する検査予約サーバであって、
前記一の施設内システムから受け付けた予約に係る検査の進行状態を示す検査ステータス情報を含む当該検査の予約に関する検査予約情報と、前記他の施設内システムにおいて行われた当該検査の検査結果と、を対応付けて記憶する記憶手段と、
前記他の施設内システムから前記通信ネットワークを介して取得した情報に基づいて前記検査ステータス情報を変更する変更手段と、
を備え、
前記検査ステータス情報は、検査が予約された状態、前記他の施設内システムにおいて患者の受付処理が済んだ状態、前記他の施設内システムにおいて検査が終了した状態、又は、前記他の施設内システムから当該検査予約サーバに検査結果が送信された状態のいずれかを示す情報を含み、
前記検査予約情報に含まれる検査ステータス情報に基づいて、前記他の施設内システムにおいて当該検査予約情報に係る患者の受付処理が済んでいるか否か、及び、当該検査予約情報に対応する検査結果が前記他の施設内システムから当該検査予約サーバに送信されているか否かを判断し、当該患者の受付処理は済んでいるが当該検査結果が前記他の施設内システムから当該検査予約サーバに送信されていない場合に、当該検査結果の送信を促す警告手段を備える検査予約サーバ。
【請求項６】
前記複数の施設内システムに対応するメールアドレスを記憶するメールアドレス記憶手段を備え、
前記警告手段は、前記検査予約情報に含まれる検査予約日から予め定められた日数が経過しているか否かを判断し、前記検査予約日から前記予め定められた日数が経過している場合であって、かつ、前記検査予約情報に係る患者の受付処理は済んでいるが前記検査予約情報に対応する検査結果が前記他の施設内システムから当該検査予約サーバに送信されていない場合に、前記メールアドレス記憶手段から前記他の施設内システムに対応するメールアドレスを読み出し、当該メールアドレス宛てに当該検査結果の送信を促す旨のメールを送信する、
請求項５に記載の検査予約サーバ。
【発明の詳細な説明】
【技術分野】
【０００１】
本発明は、検査予約システム及び検査予約サーバに関する。
【背景技術】
【０００２】
近年、医療技術の発達に伴い、特定機能を持つ病院や診療所等の複数の医療施設が連携して患者を治療する、地域医療連携の枠組みが普及しつつある。例えば、各医療施設とデータセンターとを通信ネットワークを介して接続し、データセンター内に設けられた検査予約サーバが検査の予約を仲介するとともに医用画像データ等を管理することで、各医療施設間で互いの情報を共有するシステムが知られている（特許文献１参照）。
【０００３】
予約先の医療施設は、検査を実施した後、検査結果を検査予約サーバに送信する。予約元の医療施設は、検査予約サーバに検査結果が存在するか否かを問い合わせ、検査予約サーバに検査結果が存在する場合には、検査結果を参照して診断を行う。
【先行技術文献】
【特許文献】
【０００４】
【特許文献１】特開２００５−３０１３８３号公報
【発明の概要】
【発明が解決しようとする課題】
【０００５】
しかしながら、このような検査予約システムにおいて、予約先の医療施設から検査予約サーバに検査結果が送信されない場合には、予約元の医療施設から予約先の医療施設にメールや電話等で検査結果の送信を催促し、状況を確認する必要があった。このため、予約元の医療施設では、検査予約サーバに検査結果が存在するか否かをこまめに確認して、催促しなければならず、手間がかかっていた。
【０００６】
本発明は、上記の従来技術における問題に鑑みてなされたものであって、複数の医療施設間における検査予約を利用するユーザの手間を低減させることを課題とする。
【課題を解決するための手段】
【０００７】
上記課題を解決するために、請求項１に記載の発明は、複数の医療施設のそれぞれに設けられた施設内システムと、当該複数の施設内システムのうち一の施設内システムから他の施設内システムにおける検査の予約を受け付けて検査結果を管理する検査予約サーバと、が通信ネットワークを介してデータ通信可能に接続された検査予約システムであって、前記検査予約サーバは、前記一の施設内システムから受け付けた予約に係る検査の進行状態を示す検査ステータス情報を含む当該検査の予約に関する検査予約情報と、前記他の施設内システムにおいて行われた当該検査の検査結果と、を対応付けて記憶する記憶手段と、前記他の施設内システムから前記通信ネットワークを介して取得した情報に基づいて前記検査ステータス情報を変更する変更手段と、を備え、前記検査ステータス情報は、検査が予約された状態、前記他の施設内システムにおいて患者の受付処理が済んだ状態、前記他の施設内システムにおいて検査が終了した状態、又は、前記他の施設内システムから前記検査予約サーバに検査結果が送信された状態のいずれかを示す情報を含み、当該検査予約システムは、前記検査予約情報に含まれる検査ステータス情報に基づいて、前記他の施設内システムにおいて当該検査予約情報に係る患者の受付処理が済んでいるか否か、及び、当該検査予約情報に対応する検査結果が前記他の施設内システムから前記検査予約サーバに送信されているか否かを判断し、当該患者の受付処理は済んでいるが当該検査結果が前記他の施設内システムから前記検査予約サーバに送信されていない場合に、当該検査結果の送信を促す警告手段を備える。
【０００８】
請求項２に記載の発明は、請求項１に記載の検査予約システムにおいて、前記検査予約サーバは、前記警告手段と、前記複数の施設内システムに対応するメールアドレスを記憶するメールアドレス記憶手段と、を備え、前記警告手段は、前記検査予約情報に含まれる検査予約日から予め定められた日数が経過しているか否かを判断し、前記検査予約日から前記予め定められた日数が経過している場合であって、かつ、前記検査予約情報に係る患者の受付処理は済んでいるが前記検査予約情報に対応する検査結果が前記他の施設内システムから前記検査予約サーバに送信されていない場合に、前記メールアドレス記憶手段から前記他の施設内システムに対応するメールアドレスを読み出し、当該メールアドレス宛てに当該検査結果の送信を促す旨のメールを送信する。
【０００９】
請求項３に記載の発明は、請求項１に記載の検査予約システムにおいて、前記警告手段は前記他の施設内システムが備えるものであり、前記警告手段は、前記検査予約情報に係る患者の受付処理は済んでいるが前記検査予約情報に対応する検査結果が前記他の施設内システムから前記検査予約サーバに送信されていない検査の一覧を表示手段に表示させる。
【００１０】
請求項４に記載の発明は、請求項３に記載の検査予約システムにおいて、前記警告手段は、前記検査予約情報に含まれる検査予約日から予め定められた日数が経過しているか否かを判断し、前記検査予約日から前記予め定められた日数が経過している場合に、その旨を前記表示手段に表示させる。
【００１１】
請求項５に記載の発明は、複数の医療施設のそれぞれに設けられた施設内システムと通信ネットワークを介してデータ通信可能に接続され、当該複数の施設内システムのうち一の施設内システムから他の施設内システムにおける検査の予約を受け付けて検査結果を管理する検査予約サーバであって、前記一の施設内システムから受け付けた予約に係る検査の進行状態を示す検査ステータス情報を含む当該検査の予約に関する検査予約情報と、前記他の施設内システムにおいて行われた当該検査の検査結果と、を対応付けて記憶する記憶手段と、前記他の施設内システムから前記通信ネットワークを介して取得した情報に基づいて前記検査ステータス情報を変更する変更手段と、を備え、前記検査ステータス情報は、検査が予約された状態、前記他の施設内システムにおいて患者の受付処理が済んだ状態、前記他の施設内システムにおいて検査が終了した状態、又は、前記他の施設内システムから当該検査予約サーバに検査結果が送信された状態のいずれかを示す情報を含み、前記検査予約情報に含まれる検査ステータス情報に基づいて、前記他の施設内システムにおいて当該検査予約情報に係る患者の受付処理が済んでいるか否か、及び、当該検査予約情報に対応する検査結果が前記他の施設内システムから当該検査予約サーバに送信されているか否かを判断し、当該患者の受付処理は済んでいるが当該検査結果が前記他の施設内システムから当該検査予約サーバに送信されていない場合に、当該検査結果の送信を促す警告手段を備える。
【００１２】
請求項６に記載の発明は、請求項５に記載の検査予約サーバにおいて、前記複数の施設内システムに対応するメールアドレスを記憶するメールアドレス記憶手段を備え、前記警告手段は、前記検査予約情報に含まれる検査予約日から予め定められた日数が経過しているか否かを判断し、前記検査予約日から前記予め定められた日数が経過している場合であって、かつ、前記検査予約情報に係る患者の受付処理は済んでいるが前記検査予約情報に対応する検査結果が前記他の施設内システムから当該検査予約サーバに送信されていない場合に、前記メールアドレス記憶手段から前記他の施設内システムに対応するメールアドレスを読み出し、当該メールアドレス宛てに当該検査結果の送信を促す旨のメールを送信する。
【発明の効果】
【００１３】
請求項１、５に記載の発明によれば、複数の医療施設間における検査予約を利用するユーザの手間を低減させることができる。
【００１４】
請求項２、６に記載の発明によれば、自動的に他の施設内システムに検査結果の送信を促す旨のメールを送信するので、ユーザの手間を低減させることができる。
【００１５】
請求項３、４に記載の発明によれば、ユーザは検査結果を送信すべき検査を容易に把握することができる。
【図面の簡単な説明】
【００１６】
【図１】検査予約システムのシステム構成図である。
【図２】検査予約サーバの機能的構成を示すブロック図である。
【図３】診療所内端末装置の機能的構成を示すブロック図である。
【図４】病院内端末装置の機能的構成を示すブロック図である。
【図５】検査予約処理を示すラダーチャートである。
【図６】ステータス更新処理を示すラダーチャートである。
【図７】ステータス更新処理を示すラダーチャートである。
【図８】ステータス更新処理を示すラダーチャートである。
【図９】ステータス更新処理を示すラダーチャートである。
【図１０】検査予約サーバにおいて実行されるメール送信処理を示すフローチャートである。
【図１１】病院内端末装置において実行される未送信リスト表示処理を示すフローチャートである。
【図１２】病院内端末装置に表示される未送信リスト画面の例である。
【図１３】病院内端末装置において実行される期限切れチェック処理を示すフローチャートである。
【図１４】病院内端末装置において実行されるメッセージ表示処理を示すフローチャートである。
【図１５】病院内端末装置において実行される検査削除処理を示すフローチャートである。
【図１６】病院内端末装置に表示される削除ダイアログ画面の例である。
【図１７】病院内端末装置において実行される予約先の予約リスト表示処理を示すフローチャートである。
【図１８】病院内端末装置に表示される予約リスト画面の例である。
【図１９】診療所内端末装置において実行される予約元の予約リスト表示処理を示すフローチャートである。
【図２０】診療所内端末装置に表示される予約リスト画面の例である。
【発明を実施するための形態】
【００１７】
以下、図面を参照して本発明に係る検査予約システムの一実施形態について説明する。ただし、発明の範囲は、図示例に限定されない。
【００１８】
〔検査予約システムの構成〕
図１に、本実施の形態における検査予約システム１００のシステム構成を示す。
図１に示すように、検査予約システム１００は、地域のデータセンターに設置された検査予約サーバ１と、Ａ診療所に設けられた診療所内システム２Ａと、Ｂ病院に設けられた病院内システム２Ｂと、・・・を備えて構成されている。検査予約サーバ１、診療所内システム２Ａ、病院内システム２Ｂ、・・・は、インターネット等の通信ネットワークＮを介してデータ通信可能に接続されている。
【００１９】
検査予約サーバ１は、医療施設間の医療連携サービスを提供するものであり、診療所内システム２Ａ等から病院内システム２Ｂ等における検査の予約を受け付け、当該検査の結果を管理する。検査予約サーバ１は、検査の予約に関する検査予約情報及び検査結果を、検査ＤＢ（DataBase）１８（図２参照）により管理する。
【００２０】
診療所内システム２Ａは、受付装置３Ａ、モダリティ４Ａ、ＰＡＣＳ（Picture Archiving and Communication System）５Ａ及び診療所内端末装置２０がＬＡＮ（Local Area Network）等の施設内ネットワーク６Ａにより相互にデータ通信可能に接続されて構成されている。診療所内システム２Ａを構成する各装置は、ルータ７Ａを介して通信ネットワークＮに接続される。診療所内システム２Ａを構成する装置のうち、少なくとも診療所内端末装置２０は、ルータ７Ａにより通信ネットワークＮを介して検査予約サーバ１とデータ通信可能に接続されている。
【００２１】
病院内システム２Ｂは、受付装置３Ｂ、モダリティ４Ｂ、ＰＡＣＳ５Ｂ、連携ＧＷ（Gateway）８Ｂ及び病院内端末装置３０がＬＡＮ等の施設内ネットワーク６Ｂにより相互にデータ通信可能に接続されて構成されている。病院内システム２Ｂを構成する各装置は、ルータ７Ｂを介して通信ネットワークＮに接続される。病院内システム２Ｂを構成する装置のうち、少なくとも病院内端末装置３０及び連携ＧＷ８Ｂは、ルータ７Ｂにより通信ネットワークＮを介して検査予約サーバ１とデータ通信可能に接続されている。
【００２２】
以下、主として、診療所内システム２Ａから病院内システム２Ｂにおける検査を予約する場合を例にして説明する。
なお、検査予約システム１００を構成する診療所内システム２Ａや病院内システム２Ｂ等の施設内システム、各施設内システムの各装置の数は、特に限定されない。
【００２３】
〔検査予約サーバの構成〕
図２に、検査予約サーバ１の機能的構成を示す。
図２に示すように、検査予約サーバ１は、制御部１１、操作部１２、表示部１３、通信部１４、ＲＡＭ１５、記憶部１６等を備えて構成されており、各部はバス１７により接続されている。
【００２４】
制御部１１は、ＣＰＵ（Central Processing Unit）等から構成され、検査予約サーバ１の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２５】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２６】
表示部１３は、ＬＣＤ（Liquid Crystal Display）等のモニタを備えて構成されており、制御部１１から入力される表示信号の指示に従って、各種画面を表示する。
【００２７】
通信部１４は、ネットワークインターフェース等により構成され、通信ネットワークＮを介して接続された外部機器との間でデータの送受信を行う。
【００２８】
ＲＡＭ１５は、制御部１１により実行制御される各種処理において、記憶部１６から読み出された各種プログラム、入力若しくは出力データ、及びパラメータ等を一時的に記憶するワークエリアを形成する。
【００２９】
記憶部１６は、ＨＤＤ（Hard Disk Drive）や半導体の不揮発性メモリ等により構成され、各種処理プログラム、当該プログラムの実行に必要なパラメータやファイル等を記憶している。
【００３０】
例えば、記憶部１６には、検査予約システム１００内の連携先の各医療施設の予約空き状況情報が記憶されている。予約空き状況情報は、医療施設に設置されている検査装置や医療施設に所属する医師について、予約可能な日時を示す情報である。Ｂ病院の予約空き状況情報は、病院内システム２Ｂの病院内端末装置３０又は連携ＧＷ８Ｂから設定可能となっている。また、診療所内システム２Ａの診療所内端末装置２０等から検査の予約が登録された場合には、登録された日時については予約空き状況情報の予約可能な日時から除かれる。
【００３１】
また、記憶部１６には、検査ＤＢ１８が記憶されている。検査ＤＢ１８には、検査予約情報と検査結果とが対応付けられて格納される。検査予約情報には、検査予約元の医療施設名称（以下、予約元施設名称という。）、検査予約先の医療施設名称（以下、予約先施設名称という。）、患者氏名、診療科、予約内容（検査装置、医師）、予約日時、検査ステータス情報、返信完了予定日等が含まれる。検査を予約する際には、一又は複数の検査装置、一又は複数の医師に対する予約を１セットとして予約することができる。
【００３２】
検査ステータス情報は、検査予約システム１００内の診療所内システム２Ａ等の施設内システムから受け付けた予約に係る検査の進行状態を示す情報である。検査ステータス情報は、「予約済み」、「受付済み」、「検査済み」、「返信あり（１／Ｎ）」、「再送あり（Ｘ／Ｎ）」、「一時保存」、「完了」、「返信なし」等を含む。
「予約済み」は、予約先の医療施設の施設内システムに対して検査が予約された状態である。
「受付済み」は、患者が予約先の医療施設に来院し、予約先の施設内システムにおいて患者の受付処理が済んだ状態である。
「検査済み」は、予約先の医療施設の施設内システムにおいて患者の検査又は診察が終了した状態である。
「返信あり（１／Ｎ）」は、予約先の医療施設の施設内システムから検査予約サーバ１に１回目の検査結果が送信された状態である。検査結果として、モダリティ４Ｂ等の検査装置により撮影された医用画像の画像データ、医師によるコメント等が挙げられる。
「再送あり（Ｘ／Ｎ）」は、予約先の医療施設の施設内システムから検査予約サーバ１にＸ（Ｘ＝２〜Ｎ）回目の検査結果が送信された状態である。
「返信あり（１／Ｎ）」、「再送あり（Ｘ／Ｎ）」において、括弧内の数値は、（現在の送信回数／総送信回数）を表している。すなわち、現在の送信回数が総送信回数と一致していれば、１セットの検査予約に対し全ての検査結果が揃っていることを示している。
「一時保存」は、予約先の医療施設において、医用画像の画像データや医師によるコメント等の検査結果が一時的に保存されている状態である。
「完了」は、予約元の医療施設の施設内システムにおいて、検査結果が参照され、確認された状態である。
「返信なし」は、予約先の医療施設において、何らかの理由により検査結果を送信することができず、検査が削除された状態である。
【００３３】
予約先の医療施設からの指示によって検査が削除された場合には、検査ＤＢ１８の検査予約情報に、削除フラグ、削除理由、公開削除理由が追加される。削除フラグは、対象検査が削除されたことを示すものであり、削除フラグがＯＮである場合には、その検査は削除されている。削除理由は、対象検査が削除された理由を示す情報である。公開削除理由は、対象検査が削除された理由を示す情報であり、予約元の医療施設に公開されることを前提としたものである。
【００３４】
返信完了予定日は、検査予約情報に含まれる予約日時が示す検査予約日に予め定められた日数を加えた日付けである。ここで、「予め定められた日数」とは、検査予約日から検査結果が検査予約サーバ１に送信されるまでの所要日数をいう。
【００３５】
また、記憶部１６には、検査予約システム１００内の複数の施設内システム（複数の医療施設）に対応するメールアドレスが記憶されている。
【００３６】
制御部１１は、病院内システム２Ｂ等の施設内システムから通信ネットワークＮを介して取得した情報に基づいて、検査ＤＢ１８内の該当する検査の検査ステータス情報を変更する。
制御部１１は、通信部１４により、診療所内システム２Ａ、病院内システム２Ｂ等の施設内システムから通信ネットワークＮを介して検査予約情報の取得要求を受信した場合に、記憶部１６の検査ＤＢ１８から該当する検査の検査予約情報を読み出し、通信部１４を制御して、読み出した検査予約情報を診療所内システム２Ａ、病院内システム２Ｂ等の施設内システムに通信ネットワークＮを介して送信する。
【００３７】
制御部１１は、検査予約情報に含まれる検査ステータス情報に基づいて、予約先の施設内システムにおいて当該検査予約情報に係る患者の受付処理が済んでいるか否か、及び、当該検査予約情報に対応する検査結果が予約先の施設内システムから検査予約サーバ１に送信されているか否かを判断する。そして、制御部１１は、予約先の施設内システムにおいて患者の受付処理は済んでいるが検査結果が予約先の施設内システムから検査予約サーバ１に送信されていない場合に、当該検査結果の送信を促す。
具体的に、制御部１１は、検査予約情報に含まれる予約日時が示す検査予約日から予め定められた日数が経過しているか否か、すなわち、返信完了予定日を過ぎているか否かを判断し、検査予約日から予め定められた日数が経過している場合であって、かつ、検査予約情報に係る患者の受付処理は済んでいるが検査予約情報に対応する検査結果が予約先の施設内システムから検査予約サーバ１に送信されていない場合に、記憶部１６から予約先の施設内システムに対応するメールアドレスを読み出し、通信部１４を制御して、当該メールアドレス宛てに検査結果の送信を促す旨のメールを送信する。
【００３８】
〔診療所内システムの構成〕
受付装置３Ａは、制御部、操作部、表示部、通信部、ＲＡＭ、記憶部等を備えたコンピュータ装置であり、Ａ診療所に来院した患者の受付処理、会計計算、保険点数計算等を行う。患者がＡ診療所に来院した際に、受付装置３Ａにおいて、操作部から患者氏名や患者番号（Ａ診療所内での患者の識別番号）が入力されると、受付順に受付番号が振られ、受付番号と患者氏名等が対応付けられて記憶部に記憶される。また、Ａ診療所に対する次回の予約が入っている患者については、受付装置３Ａの記憶部に、各患者の次回来院日が記憶されている。
【００３９】
モダリティ４Ａは、患者の診断対象部位を被写体として撮影を行い、撮影した画像をデジタル変換して医用画像を生成する画像生成装置である。モダリティ４Ａとして、ＣＲ（Computed Radiography）等が挙げられる。
【００４０】
ＰＡＣＳ５Ａは、制御部、操作部、表示部、通信部、ＲＡＭ、記憶部等を備えたコンピュータ装置であり、主としてＡ診療所内のモダリティ４Ａ等により生成された医用画像データ、検体検査データ、読影レポート等の診療情報データを患者情報と対応付けて記憶部に格納する施設内サーバである。
【００４１】
診療所内端末装置２０は、検査予約サーバ１に対して他の医療施設における検査の予約を行う場合や、ＰＡＣＳ５Ａや検査予約サーバ１の検査ＤＢ１８に記憶されている検査結果を参照する場合に用いられる。
【００４２】
図３に、診療所内端末装置２０の機能的構成を示す。
図３に示すように、診療所内端末装置２０は、制御部２１、操作部２２、表示部２３、通信部２４、ＲＡＭ２５、記憶部２６等を備えて構成されており、各部はバス２７により接続されている。
【００４３】
制御部２１は、ＣＰＵ等から構成され、診療所内端末装置２０の各部の処理動作を統括的に制御する。具体的には、ＣＰＵは、操作部２２から入力される操作信号又は通信部２４により受信される指示信号に応じて、記憶部２６に記憶されている各種処理プログラムを読み出してＲＡＭ２５に展開し、当該プログラムとの協働により各種処理を行う。
【００４４】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００４５】
表示部２３は、ＬＣＤ等のモニタを備えて構成されており、制御部２１から入力される表示信号の指示に従って、各種画面を表示する。
【００４６】
通信部２４は、ネットワークインターフェース等により構成され、施設内ネットワーク６Ａや通信ネットワークＮを介して接続された外部機器との間でデータの送受信を行う。
【００４７】
ＲＡＭ２５は、制御部２１により実行制御される各種処理において、記憶部２６から読み出された各種プログラム、入力若しくは出力データ、及びパラメータ等を一時的に記憶するワークエリアを形成する。
【００４８】
記憶部２６は、ＨＤＤや半導体の不揮発性メモリ等により構成され、各種処理プログラム、当該プログラムの実行に必要なパラメータやファイル等を記憶している。
【００４９】
制御部２１は、通信部２４により、診療所内システム２Ａから予約された検査の検査予約情報の取得要求を通信ネットワークＮを介して検査予約サーバ１に送信し、検査予約サーバ１から通信ネットワークＮを介して検査予約情報を受信する。
制御部２１は、検査予約サーバ１から受信した検査予約情報に基づいて、診療所内システム２Ａから予約された検査の一覧（予約リスト）を表示部２３に表示させる。
【００５０】
〔病院内システムの構成〕
受付装置３Ｂは、制御部、操作部、表示部、通信部、ＲＡＭ、記憶部等を備えたコンピュータ装置であり、Ｂ病院に来院した患者の受付処理、会計計算、保険点数計算等を行う。患者がＢ病院に来院した際に、受付装置３Ｂにおいて、操作部から患者氏名や患者番号（Ｂ病院内での患者の識別番号）が入力されると、受付順に受付番号が振られ、受付番号と患者氏名等が対応付けられて記憶部に記憶される。
【００５１】
モダリティ４Ｂは、患者の診断対象部位を被写体として撮影を行い、撮影した画像をデジタル変換して医用画像を生成する画像生成装置である。モダリティ４Ｂとして、ＭＲ（Magnetic Resonance）、ＣＴ（Computed Tomography）等が挙げられる。
【００５２】
ＰＡＣＳ５Ｂは、制御部、操作部、表示部、通信部、ＲＡＭ、記憶部等を備えたコンピュータ装置であり、主としてＢ病院内のモダリティ４Ｂ等により生成された医用画像データ、検体検査データ、読影レポート等の診療情報データを患者情報と対応付けて記憶部に格納する施設内サーバである。
【００５３】
連携ＧＷ８Ｂは、制御部、操作部、表示部、通信部、ＲＡＭ、記憶部等を備えたコンピュータ装置である。連携ＧＷ８Ｂは、検査予約サーバ１を利用して予約された病院内システム２Ｂにおける検査について検査予約サーバ１から検査予約情報を取得し、受付装置３Ｂによる患者の受付処理や、モダリティ４Ｂによる検査が終了したか否かを管理する。
【００５４】
病院内端末装置３０は、ＰＡＣＳ５Ｂに記憶されている検査結果を参照する場合や、検査予約サーバ１に対して検査結果を送信する場合に用いられる。
【００５５】
図４に、病院内端末装置３０の機能的構成を示す。
図４に示すように、病院内端末装置３０は、制御部３１、操作部３２、表示部３３、通信部３４、ＲＡＭ３５、記憶部３６等を備えて構成されており、各部はバス３７により接続されている。
【００５６】
制御部３１は、ＣＰＵ等から構成され、病院内端末装置３０の各部の処理動作を統括的に制御する。具体的には、ＣＰＵは、操作部３２から入力される操作信号又は通信部３４により受信される指示信号に応じて、記憶部３６に記憶されている各種処理プログラムを読み出してＲＡＭ３５に展開し、当該プログラムとの協働により各種処理を行う。
【００５７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００５８】
表示部３３は、ＬＣＤ等のモニタを備えて構成されており、制御部３１から入力される表示信号の指示に従って、各種画面を表示する。
【００５９】
通信部３４は、ネットワークインターフェース等により構成され、施設内ネットワーク６Ｂや通信ネットワークＮを介して接続された外部機器との間でデータの送受信を行う。
【００６０】
ＲＡＭ３５は、制御部３１により実行制御される各種処理において、記憶部３６から読み出された各種プログラム、入力若しくは出力データ、及びパラメータ等を一時的に記憶するワークエリアを形成する。
【００６１】
記憶部３６は、ＨＤＤや半導体の不揮発性メモリ等により構成され、各種処理プログラム、当該プログラムの実行に必要なパラメータやファイル等を記憶している。
【００６２】
制御部３１は、通信部３４により、病院内システム２Ｂにおける検査の検査予約情報の取得要求を通信ネットワークＮを介して検査予約サーバ１に送信し、検査予約サーバ１から通信ネットワークＮを介して検査予約情報を受信する。
制御部３１は、検査予約サーバ１から受信した検査予約情報に基づいて、検査予約サーバ１を介して予約された病院内システム２Ｂにおける検査の一覧（予約リスト）を表示部３３に表示させる。
【００６３】
制御部３１は、検査予約サーバ１から受信した検査予約情報に含まれる検査ステータス情報に基づいて、病院内システム２Ｂにおいて当該検査予約情報に係る患者の受付処理が済んでいるか否か、及び、当該検査予約情報に対応する検査結果が病院内システム２Ｂから検査予約サーバ１に送信されているか否かを判断する。そして、制御部３１は、病院内システム２Ｂにおいて患者の受付処理は済んでいるが検査結果が病院内システム２Ｂから検査予約サーバ１に送信されていない場合に、当該検査結果の送信を促す。
具体的に、制御部３１は、検査予約サーバ１から受信した検査予約情報に基づいて、検査予約情報に係る患者の受付処理は済んでいるが検査予約情報に対応する検査結果が病院内システム２Ｂから検査予約サーバ１に送信されていない検査の一覧（未送信リスト）を表示部３３に表示させる。すなわち、制御部３１は、病院内システム２Ｂに対して予約された検査のうち、検査ステータス情報が「受付済み」を経ている（予約先の医療施設に患者が来院したことまでは確認している）が、その後、検査ステータス情報が返信完了状態（「返信あり（１／１）」又は「再送あり（Ｎ／Ｎ）」）になっていないものを抽出して一覧表示する。
制御部３１は、検査予約情報に含まれる予約日時が示す検査予約日から予め定められた日数が経過しているか否か、すなわち、返信完了予定日を過ぎているか否かを判断し、検査予約日から予め定められた日数が経過している場合に、その旨を表示部３３に表示させる。
【００６４】
〔検査予約システムにおける動作〕
次に、検査予約システム１００における動作について説明する。
【００６５】
（検査予約処理）
図５は、検査予約処理を示すラダーチャートである。
まず、Ａ診療所内の診療所内端末装置２０において、操作部２２からの操作に基づいて、制御部２１により、通信部２４が制御され、通信ネットワークＮを介して検査予約要求が検査予約サーバ１に送信される（ステップＳ１）。具体的には、診療所内端末装置２０において、Ｗｅｂブラウザ機能により、操作部２２から検査予約サーバ１の連携サービスにアクセスするためのＵＲＬが入力され、入力されたＵＲＬ（Uniform Resource Locator）が通信部２４により、検査予約サーバ１に送信される。
【００６６】
検査予約サーバ１では、通信部１４により、検査予約要求が受信されると、制御部１１により、連携先の各医療施設の名称が記憶部１６から読み出されて施設名称リスト画面が生成され、Ｗｅｂサーバ機能により、施設名称リスト画面が診療所内端末装置２０に提供される（ステップＳ２）。
【００６７】
診療所内端末装置２０では、表示部２３に施設名称リスト画面が表示される。施設名称リスト画面において、操作部２２からの操作により、予約先施設が選択されると（ステップＳ３）、検査予約サーバ１では、制御部１１により、選択された予約先施設の検査装置及び医師が記憶部１６から読み出されて検査装置・医師リスト画面が生成され、検査装置・医師リスト画面が診療所内端末装置２０に提供される（ステップＳ４）。
【００６８】
診療所内端末装置２０では、検査装置・医師リスト画面が表示部２３に表示される。検査装置・医師リスト画面において、操作部２２からの操作により、一又は複数の検査装置及び／又は医師が選択される（ステップＳ５）。検査予約サーバ１では、制御部１１により、選択された検査装置及び／又は医師の予約空き状況情報が記憶部１６から読み出され、選択された検査装置及び／又は医師について予約可能な日時を含む予約空き状況画面が生成され、予約空き状況画面が診療所内端末装置２０に提供される（ステップＳ６）。
【００６９】
診療所内端末装置２０では、予約空き状況画面が表示部２３に表示される。予約空き状況画面において、操作部２２からの操作により、検査日時が指定されると（ステップＳ７）、検査予約サーバ１では、制御部１１により、記憶部１６の検査ＤＢ１８に検査予約情報が登録される（ステップＳ８）。具体的には、ステップＳ３で選択された予約先施設、ステップＳ５で選択された検査装置及び／又は医師、ステップＳ７で指定された検査日時に基づいて、検査予約情報が登録される。ここで、制御部１１により、予約された検査の検査予約情報に含まれる検査ステータス情報は、「予約済み」とされる（ステップＳ９）。
【００７０】
その後、Ｂ病院内の連携ＧＷ８Ｂの制御部により、検査予約サーバ１に対し通信ネットワークＮを介して検査予約情報の問い合わせが行われると（ステップＳ１０）、検査予約サーバ１では、制御部１１により、検査ＤＢ１８からＢ病院内の検査についての検査予約情報が読み出され、通信部１４により、Ｂ病院内の検査についての検査予約情報が通信ネットワークＮを介して連携ＧＷ８Ｂに送信される（ステップＳ１１）。
【００７１】
連携ＧＷ８Ｂでは、通信部により、通信ネットワークＮを介して検査予約サーバ１から検査予約情報が取得される（ステップＳ１２）。取得された検査予約情報は、連携ＧＷ８Ｂの制御部により、連携ＧＷ８Ｂの記憶部に記憶される。
以上で、検査予約処理が終了する。
【００７２】
（ステータス更新処理）
図６〜図９は、ステータス更新処理を示すラダーチャートである。ここでは、診療所内システム２Ａから病院内システム２Ｂにおける検査を予約した場合の、ある検査を対象とする。
【００７３】
検査予約サーバ１の検査ＤＢ１８に格納されている対象検査の検査ステータス情報が「予約済み」の状態で（ステップＳ２１）、Ｂ病院内の連携ＧＷ８Ｂの制御部により、Ｂ病院内の受付装置３Ｂにおいて、予約されている検査の患者の受付処理が終了したか否かが判断される（ステップＳ２２）。具体的には、連携ＧＷ８Ｂの制御部により、受付装置３Ｂに対して、該当する患者の受付処理が終了したか否かの問い合わせが行われ、受付装置３Ｂから受付処理が終了したか否かを示す情報が取得される。予約されている検査の患者の受付処理が終了した場合には（ステップＳ２２；ＹＥＳ）、連携ＧＷ８Ｂの制御部により、受付済みである旨の通知が通信ネットワークＮを介して検査予約サーバ１に送信される（ステップＳ２３）。
【００７４】
検査予約サーバ１では、通信部１４により、連携ＧＷ８Ｂから受付済みである旨の通知が受信されると、制御部１１により、検査ＤＢ１８の該当する検査予約情報に含まれる検査ステータス情報が「受付済み」に変更される（ステップＳ２４）。
【００７５】
次に、Ｂ病院内の連携ＧＷ８Ｂの制御部により、Ｂ病院内のモダリティ４Ｂにおいて、予約されている検査が終了したか否かが判断される（ステップＳ２５）。具体的には、連携ＧＷ８Ｂの制御部により、モダリティ４Ｂに対して、該当する検査が終了したか否かの問い合わせが行われ、モダリティ４Ｂから検査が終了したか否かを示す情報が取得される。予約されている検査が終了した場合には（ステップＳ２５；ＹＥＳ）、連携ＧＷ８Ｂの制御部により、検査済みである旨の通知が通信ネットワークＮを介して検査予約サーバ１に送信される（ステップＳ２６）。
【００７６】
検査予約サーバ１では、通信部１４により、連携ＧＷ８Ｂから検査済みである旨の通知が受信されると、制御部１１により、検査ＤＢ１８の該当する検査予約情報に含まれる検査ステータス情報が「検査済み」に変更される（ステップＳ２７）。
【００７７】
なお、検査予約内容が医師の場合には、Ｂ病院内の病院内端末装置３０から医師の診察が終了したことを示す情報が検査予約サーバ１に送信され、この情報に基づいて、検査予約サーバ１において、検査ステータス情報が「検査済み」に変更されることとしてもよい。あるいは、検査予約内容が医師の場合には、「検査済み」の検査ステータス情報を省いてもよい。
【００７８】
図７に移り、病院内端末装置３０の制御部３１により、検査予約に対する検査結果が作成される（ステップＳ２８）。具体的には、制御部３１により、モダリティ４Ｂにより撮影された医用画像の画像データに基づいて表示部３３に医用画像が表示され、操作部３２から医師によるコメントや診断結果が入力される。
【００７９】
次に、制御部３１により、検査予約に対する検査結果が送信されるか否かが判断される（ステップＳ２９）。具体的には、制御部３１により、操作部３２からモダリティ４Ｂにより撮影された医用画像の画像データや医師によるコメントを送信する旨の操作が行われたか否かが判断される。検査結果が送信されない場合には（ステップＳ２９；ＮＯ）、制御部３１により、検査予約に対する検査結果が一時保存されるか否かが判断される（ステップＳ３０）。検査結果が一時保存されない場合には（ステップＳ３０；ＮＯ）、ステップＳ２８に戻る。
【００８０】
ステップＳ３０において、検査結果が一時保存される場合には（ステップＳ３０；ＹＥＳ）、制御部３１により、検査結果が記憶部３６に保存され、通信部３４が制御され、検査結果が一時保存された旨の通知が通信ネットワークＮを介して検査予約サーバ１に送信される（ステップＳ３１）。そして、ステップＳ２８に戻る。
【００８１】
検査予約サーバ１では、病院内端末装置３０において検査結果が一時保存された場合（ステップＳ３２；ＹＥＳ）、通信部１４により、病院内端末装置３０から検査結果が一時保存された旨の通知が受信され、制御部１１により、該当する検査予約情報に含まれる検査ステータス情報が「一時保存」に変更される（ステップＳ３３）。
【００８２】
ステップＳ２９において、検査結果が送信される場合には（ステップＳ２９；ＹＥＳ）、制御部３１により、通信部３４が制御され、検査結果が通信ネットワークＮを介して検査予約サーバ１に送信される（ステップＳ３４）。
【００８３】
検査予約サーバ１では、通信部１４により、病院内端末装置３０から検査結果が受信されると、制御部１１により、該当する検査予約情報と対応付けられて検査結果が検査ＤＢ１８に格納されるとともに、検査予約情報に含まれる検査ステータス情報が「返信あり（１／Ｎ）」に変更される（ステップＳ３５）。
【００８４】
図８に移り、病院内端末装置３０の制御部３１により、１セットとして予約された検査予約情報に係る検査のうち、検査結果が送信された検査以外に他の検査があるか否かが判断される（ステップＳ３６）。他の検査がない場合には（ステップＳ３６；ＮＯ）、処理が終了する。
【００８５】
他の検査がある場合には（ステップＳ３６；ＹＥＳ）、病院内端末装置３０の制御部３１により、検査予約に対する他の検査結果が作成される（ステップＳ３７）。ここで、他の検査結果が送信されず（ステップＳ３８；ＮＯ）、一時保存されない場合には（ステップＳ３９；ＮＯ）、ステップＳ３７に戻る。
【００８６】
ステップＳ３９において、他の検査結果が一時保存される場合には（ステップＳ３９；ＹＥＳ）、制御部３１により、他の検査結果が記憶部３６に保存される。そして、制御部３１により、通信部３４が制御され、他の検査結果が一時保存された旨の通知が通信ネットワークＮを介して検査予約サーバ１に送信される（ステップＳ４０）。そして、ステップＳ３７に戻る。
【００８７】
検査予約サーバ１では、病院内端末装置３０において他の検査結果が一時保存された場合（ステップＳ４１；ＹＥＳ）、通信部１４により、病院内端末装置３０から他の検査結果が一時保存された旨の通知が受信され、制御部１１により、該当する検査予約情報に含まれる検査ステータス情報が「一時保存」に変更される（ステップＳ４２）。
【００８８】
ステップＳ３８において、他の検査結果が送信される場合には（ステップＳ３８；ＹＥＳ）、制御部３１により、通信部３４が制御され、他の検査結果が通信ネットワークＮを介して検査予約サーバ１に送信され（ステップＳ４３）、ステップＳ３６に戻る。
【００８９】
検査予約サーバ１では、１セットとして予約された検査予約情報のうち、検査結果が送信された検査以外に他の検査があった場合（ステップＳ４４；ＹＥＳ）、通信部１４により、病院内端末装置３０から他の検査結果が受信され、制御部１１により、該当する検査予約情報と対応付けられて他の検査結果が検査ＤＢ１８に格納されるとともに、検査予約情報に含まれる検査ステータス情報が「再送あり（Ｘ／Ｎ）」に変更される（ステップＳ４５）。そして、ステップＳ４４に戻る。
【００９０】
ステップＳ４４において、検査結果が送信された検査以外に他の検査がない場合（ステップＳ４４；ＮＯ）、図９に移る。検査ステータス情報が「返信あり（１／１）」又は「再送あり（Ｎ／Ｎ）」の状態で、Ａ診療所内の診療所内端末装置２０において、検査結果の内容が確認された場合には（ステップＳ４６；ＹＥＳ）、制御部２１により、通信部２４が制御され、通信ネットワークＮを介して検査結果の内容を確認した旨の通知が検査予約サーバ１に送信される（ステップＳ４７）。具体的には、操作部２２からの操作により、対象検査の検査結果の取得が指示され、制御部２１により、通信部２４が制御され、通信ネットワークＮを介して対象検査の検査結果の取得要求が検査予約サーバ１に送信される。そして、通信部２４により、検査予約サーバ１から検査結果が受信され、制御部２１により、検査結果が表示部２３に表示される。Ａ診療所内の医師は、検査結果の内容を確認した後、操作部２２からの操作により、検査結果の内容を確認した旨を通知するよう指示する。
【００９１】
検査予約サーバ１では、通信部１４により、診療所内端末装置２０から検査結果の内容を確認した旨の通知が受信されると、制御部１１により、検査ＤＢ１８の該当する検査予約情報に含まれる検査ステータス情報が「完了」に変更される（ステップＳ４８）。
以上で、ステータス更新処理が終了する。
【００９２】
なお、上記ステータス更新処理に加え、検査予約サーバ１の検査ＤＢ１８に格納されている対象検査の検査ステータス情報が「受付済み」、「検査済み」、「一時保存」、「返信あり（Ｘ／Ｎ）」又は「再送あり（Ｘ／Ｎ）」の状態（ただし、Ｘ≠Ｎ）、すなわち、予約先の医療施設において、受付処理は済んでいるが、予約先の医療施設から検査予約サーバ１への検査結果の送信が終了していない状態において、何らかの理由により検査結果を送信することができない検査を未送信リスト（図１２参照）から削除する場合には、病院内端末装置３０の制御部３１により、通信部３４が制御され、対象検査が削除された旨の通知、削除理由及び公開削除理由が通信ネットワークＮを介して検査予約サーバ１に送信される。
【００９３】
検査予約サーバ１では、通信部１４により、病院内端末装置３０から対象検査が削除された旨の通知、削除理由及び公開削除理由が受信されると、制御部１１により、検査ＤＢ１８の該当する検査予約情報に、削除フラグ、削除理由、公開削除理由が追加され、削除フラグがＯＮにされるとともに、受信した削除理由及び公開削除理由が格納される。また、制御部１１により、該当する検査予約情報に含まれる検査ステータス情報が「返信なし」に変更される。
【００９４】
（メール送信処理）
図１０は、検査予約サーバ１において実行されるメール送信処理を示すフローチャートである。この処理は、制御部１１と記憶部１６に記憶されているプログラムとの協働によるソフトウェア処理によって実現される。
【００９５】
まず、制御部１１により、記憶部１６に記憶されている検査ＤＢ１８から対象検査の検査予約情報が読み出される（ステップＳ５１）。
次に、制御部１１により、読み出された検査予約情報に含まれる予約日時が示す検査予約日から予め定められた日数が経過しているか否か、すなわち、返信完了予定日を過ぎているか否かが判断される（ステップＳ５２）。
【００９６】
返信完了予定日を過ぎている場合には（ステップＳ５２；ＹＥＳ）、制御部１１により、読み出された検査予約情報に含まれる検査ステータス情報が「受付済み」、「検査済み」、「一時保存」、「返信あり（Ｘ／Ｎ）」又は「再送あり（Ｘ／Ｎ）」（ただし、Ｘ≠Ｎ）であるか否かが判断される（ステップＳ５３）。すなわち、制御部１１により、検査予約情報に含まれる検査ステータス情報に基づいて、予約先の施設内システムにおいて受付処理が済んでおり、かつ、予約先の施設内システムから検査予約サーバ１への検査結果の送信が終了していない状態であるか否かが判断される。
【００９７】
対象検査の検査ステータス情報が「受付済み」、「検査済み」、「一時保存」、「返信あり（Ｘ／Ｎ）」又は「再送あり（Ｘ／Ｎ）」（ただし、Ｘ≠Ｎ）である場合には（ステップＳ５３；ＹＥＳ）、制御部１１により、検査予約情報に含まれる予約先施設名称に対応するメールアドレスが記憶部１６から読み出され、通信部１４により、予約先の医療施設のメールアドレス宛てに検査結果の送信を促す旨のメールが送信される（ステップＳ５４）。
【００９８】
ステップＳ５２において、返信完了予定日を過ぎていない場合（ステップＳ５２；ＮＯ）、又は、ステップＳ５３において、対象検査の検査ステータス情報が「受付済み」、「検査済み」、「一時保存」、「返信あり（Ｘ／Ｎ）」又は「再送あり（Ｘ／Ｎ）」（ただし、Ｘ≠Ｎ）でない場合には（ステップＳ５３；ＮＯ）、メールの送信は行われない。
以上で、メール送信処理が終了する。
【００９９】
（未送信リスト表示処理）
図１１は、Ｂ病院内の病院内端末装置３０において実行される未送信リスト表示処理を示すフローチャートである。この処理は、制御部３１と記憶部３６に記憶されているプログラムとの協働によるソフトウェア処理によって実現される。
【０１００】
まず、制御部３１により、「期限切れカウンタ」、「当日カウンタ」、「１日前カウンタ」、「２日前カウンタ」がそれぞれ「０」に初期化される（ステップＳ６１）。これらのカウンタの値は、ＲＡＭ３５に記憶される。
【０１０１】
次に、制御部３１により、Ｂ病院における検査の検査予約情報（予約先施設名称がＢ病院の検査予約情報）が検査予約サーバ１から取得される（ステップＳ６２）。具体的には、制御部３１により、通信部３４が制御され、Ｂ病院における検査の検査予約情報の取得要求が通信ネットワークＮを介して検査予約サーバ１に送信され、通信部３４により、検査予約サーバ１から通信ネットワークＮを介して検査予約情報が受信される。
【０１０２】
次に、制御部３１により、取得された検査予約情報に含まれる検査ステータス情報が「受付済み」、「検査済み」、「一時保存」、「返信あり（Ｘ／Ｎ）」又は「再送あり（Ｘ／Ｎ）」（ただし、Ｘ≠Ｎ）であるか否かが判断される（ステップＳ６３）。すなわち、制御部３１により、検査予約情報に含まれる検査ステータス情報に基づいて、病院内システム２Ｂにおいて受付処理が済んでおり、かつ、病院内システム２Ｂから検査予約サーバ１への検査結果の送信が終了していない状態であるか否かが判断される。
【０１０３】
検査ステータス情報が「受付済み」、「検査済み」、「一時保存」、「返信あり（Ｘ／Ｎ）」又は「再送あり（Ｘ／Ｎ）」（ただし、Ｘ≠Ｎ）である場合には（ステップＳ６３；ＹＥＳ）、制御部３１により、この検査が表示部３３の未送信リストに表示される（ステップＳ６４）。
【０１０４】
図１２に、病院内端末装置３０の表示部３３に表示される未送信リスト画面３３１の例を示す。未送信リスト画面３３１は、Ａ診療所等の医療施設からＢ病院に対して予約された検査のうち、Ｂ病院において受付処理は済んでいるが、検査予約サーバ１への検査結果の送信が終了していない検査の一覧を表示するものである。未送信リスト画面３３１には、未送信リスト表示領域４１、メッセージ表示領域４２が含まれる。
【０１０５】
未送信リスト表示領域４１には、検査進行状態欄４３、返信完了予定日欄４４、予約元施設名称欄４５、患者氏名欄４６、診療科欄４７、予約内容欄４８、予約日時欄４９が設けられている。検査進行状態欄４３には、検査予約サーバ１から取得された検査予約情報に含まれる検査ステータス情報に基づいて、検査進行状態が表示される。返信完了予定日欄４４、予約元施設名称欄４５、患者氏名欄４６、診療科欄４７、予約内容欄４８、予約日時欄４９には、それぞれ、検査予約サーバ１から取得された検査予約情報に含まれる返信完了予定日、予約元施設名称、患者氏名、診療科、予約内容、予約日時が表示される。
【０１０６】
メッセージ表示領域４２は、注意すべき検査が存在することを警告するためのメッセージが表示される領域である。メッセージとして、例えば、返信完了予定日（期限）を過ぎている検査が存在すること、返信完了予定日当日の検査が存在すること、返信完了予定日まであとＭ日の検査が存在すること（Ｍ＝１，２，・・・）、及び、該当する検査の件数が表示される。
【０１０７】
次に、制御部３１により、期限切れチェック処理が行われる（ステップＳ６５）。
ここで、図１３を参照して、期限切れチェック処理について説明する。
【０１０８】
まず、制御部３１により、ステップＳ６２で取得された検査予約情報に含まれる予約日時が示す検査予約日から予め定められた日数が経過しているか否か、すなわち、返信完了予定日を過ぎているか否かが判断される（ステップＳ７１）。返信完了予定日を過ぎている場合には（ステップＳ７１；ＹＥＳ）、制御部３１により、ＲＡＭ３５に記憶されている「期限切れカウンタ」に１が加算される（ステップＳ７２）。
【０１０９】
ステップＳ７１において、返信完了予定日を過ぎていない場合には（ステップＳ７１；ＮＯ）、制御部３１により、本日が返信完了予定日であるか否かが判断される（ステップＳ７３）。返信完了予定日である場合には（ステップＳ７３；ＹＥＳ）、制御部３１により、ＲＡＭ３５に記憶されている「当日カウンタ」に１が加算される（ステップＳ７４）。
【０１１０】
ステップＳ７３において、返信完了予定日でない場合には（ステップＳ７３；ＮＯ）、制御部３１により、返信完了予定日まで１日であるか否かが判断される（ステップＳ７５）。返信完了予定日まで１日である場合には（ステップＳ７５；ＹＥＳ）、制御部３１により、ＲＡＭ３５に記憶されている「１日前カウンタ」に１が加算される（ステップＳ７６）。
【０１１１】
ステップＳ７５において、返信完了予定日まで１日でない場合には（ステップＳ７５；ＮＯ）、制御部３１により、返信完了予定日まで２日であるか否かが判断される（ステップＳ７７）。返信完了予定日まで２日である場合には（ステップＳ７７；ＹＥＳ）、制御部３１により、ＲＡＭ３５に記憶されている「２日前カウンタ」に１が加算される（ステップＳ７８）。
【０１１２】
ステップＳ７２、ステップＳ７４、ステップＳ７６、ステップＳ７８の後、又は、ステップＳ７７において返信完了予定日まで２日でない場合には（ステップＳ７７；ＮＯ）、期限切れチェック処理が終了する。
【０１１３】
図１１に戻り、ステップＳ６５の後、又は、ステップＳ６３において、対象検査の検査ステータス情報が「受付済み」、「検査済み」、「一時保存」、「返信あり（Ｘ／Ｎ）」又は「再送あり（Ｘ／Ｎ）」（ただし、Ｘ≠Ｎ）でない場合に（ステップＳ６３；ＮＯ）、検査予約サーバ１の検査ＤＢ１８にＢ病院における他の検査（予約先施設名称がＢ病院の検査予約情報に係る検査）があるときには（ステップＳ６６；ＹＥＳ）、ステップＳ６２に戻り、処理が繰り返される。
【０１１４】
ステップＳ６６において、検査予約サーバ１の検査ＤＢ１８にＢ病院における他の検査がない場合には（ステップＳ６６；ＮＯ）、制御部３１により、メッセージ表示処理が行われる（ステップＳ６７）。
ここで、図１４を参照して、メッセージ表示処理について説明する。
【０１１５】
まず、制御部３１により、ＲＡＭ３５に記憶されている「期限切れカウンタ」の値が０より大きいか否かが判断される（ステップＳ８１）。すなわち、未送信リストに表示されている検査の中で期限切れのものがあるか否かが判断される。「期限切れカウンタ」の値が０より大きい場合には（ステップＳ８１；ＹＥＳ）、制御部３１により、「期限切れカウンタ」の値に基づいて、表示部３３に表示されている未送信リスト画面３３１のメッセージ表示領域４２に、期限切れの件数が表示される（ステップＳ８２）。例えば、「期限切れ○件」というように、返信完了予定日を過ぎている検査（検査予約日から予め定められた日数が経過している検査）が存在すること、及び、その件数が表示される。
【０１１６】
ステップＳ８１において、「期限切れカウンタ」の値が０より大きくない場合には（ステップＳ８１；ＮＯ）、制御部３１により、ＲＡＭ３５に記憶されている「当日カウンタ」の値が０より大きいか否かが判断される（ステップＳ８３）。すなわち、未送信リストに表示されている検査の中で期限日のものがあるか否かが判断される。「当日カウンタ」の値が０より大きい場合には（ステップＳ８３；ＹＥＳ）、制御部３１により、「当日カウンタ」の値に基づいて、表示部３３に表示されている未送信リスト画面３３１のメッセージ表示領域４２に、期限日の件数が表示される（ステップＳ８４）。例えば、「期限日○件」というように、返信完了予定日当日の検査が存在すること、及び、その件数が表示される。
【０１１７】
ステップＳ８３において、「当日カウンタ」の値が０より大きくない場合には（ステップＳ８３；ＮＯ）、制御部３１により、ＲＡＭ３５に記憶されている「１日前カウンタ」の値が０より大きいか否かが判断される（ステップＳ８５）。すなわち、未送信リストに表示されている検査の中で期限１日前のものがあるか否かが判断される。「１日前カウンタ」の値が０より大きい場合には（ステップＳ８５；ＹＥＳ）、制御部３１により、「１日前カウンタ」の値に基づいて、表示部３３に表示されている未送信リスト画面３３１のメッセージ表示領域４２に、期限１日前の件数が表示される（ステップＳ８６）。例えば、「期限１日前○件」というように、返信完了予定日まであと１日の検査が存在すること、及び、その件数が表示される。
【０１１８】
ステップＳ８５において、「１日前カウンタ」の値が０より大きくない場合には（ステップＳ８５；ＮＯ）、制御部３１により、ＲＡＭ３５に記憶されている「２日前カウンタ」の値が０より大きいか否かが判断される（ステップＳ８７）。すなわち、未送信リストに表示されている検査の中で期限２日前のものがあるか否かが判断される。「２日前カウンタ」の値が０より大きい場合には（ステップＳ８７；ＹＥＳ）、制御部３１により、「２日前カウンタ」の値に基づいて、表示部３３に表示されている未送信リスト画面３３１のメッセージ表示領域４２に、期限２日前の件数が表示される（ステップＳ８８）。例えば、「期限２日前○件」というように、返信完了予定日まであと２日の検査が存在すること、及び、その件数が表示される。
【０１１９】
ステップＳ８２、ステップＳ８４、ステップＳ８６、ステップＳ８８の後、又は、ステップＳ８７において「２日前カウンタ」の値が０より大きくない場合には（ステップＳ８７；ＮＯ）、メッセージ表示処理が終了する。
以上で、未送信リスト表示処理が終了する。
【０１２０】
なお、図１２に示す未送信リスト画面３３１において、未送信リストタブ５０は、未送信の検査がある場合にのみ生成され、予約リストタブ５１と切り替え可能となっている。デフォルトでは、予約リストタブ５１がアクティブとなっている。
【０１２１】
（検査削除処理）
予約先の医療施設において、何らかの理由で検査結果を送信することができない検査が未送信リストに表示されている場合には、本当に検査結果の送信が必要な検査であるか否かの区別がつかない。そこで、何らかの理由で検査結果を送信することができない検査については、未送信リストから手動で削除可能とする。
【０１２２】
図１５は、Ｂ病院内の病院内端末装置３０において実行される検査削除処理を示すフローチャートである。検査削除処理は、病院内端末装置３０の表示部３３に未送信リストが表示されている状態で、未送信リストに表示されている検査のうち、何らかの理由により検査結果を送信することができない検査を未送信リストから削除する処理である。この処理は、制御部３１と記憶部３６に記憶されているプログラムとの協働によるソフトウェア処理によって実現される。
【０１２３】
まず、病院内端末装置３０において、操作部３２からの操作により、未送信リストに表示されている検査の中から削除対象となる検査が選択される（ステップＳ９１）。選択された削除対象検査は、制御部３１により、未送信リスト上で色が変更される等、他の検査と識別可能に表示される。
【０１２４】
次に、制御部３１により、操作部３２から選択された検査に対する削除指示があったか否かが判断される（ステップＳ９２）。選択された検査に対する削除指示がない場合には（ステップＳ９２；ＮＯ）、ステップＳ９２に戻る。
【０１２５】
ステップＳ９２において、選択された検査に対する削除指示があった場合には（ステップＳ９２；ＹＥＳ）、制御部３１により、削除ダイアログが表示部３３に表示される（ステップＳ９３）。
【０１２６】
例えば、図１２に示す未送信リスト画面３３１の未送信リスト表示領域４１において、操作部３２からの操作により、削除対象検査５２が選択され、削除ボタン５３が押下されると、制御部３１により、図１６に示す削除ダイアログ画面３３２が表示部３３に表示される。削除ダイアログ画面３３２には、削除理由入力領域６１、公開削除理由入力領域６２、「削除理由と同じ」チェックボックス６３、削除ボタン６４、キャンセルボタン６５が含まれる。削除理由入力領域６１は、検査を削除する理由が入力される領域である。公開削除理由入力領域６２は、公開されることを前提とした検査の削除理由が入力される領域である。「削除理由と同じ」チェックボックス６３は、公開削除理由が削除理由と同じであるか否かを示すものであり、チェックされた場合に、公開削除理由として削除理由と同じ内容が表示される。
【０１２７】
次に、操作部３２からの操作により、削除理由及び公開削除理由が入力される（ステップＳ９４）。具体的には、図１６に示す削除ダイアログ画面３３２において、操作部３２からの操作により、削除理由及び公開削除理由が入力され、又は、削除理由が入力されるとともに「削除理由と同じ」チェックボックス６３がチェックされる。入力された削除理由及び公開削除理由は、制御部３１により、ＲＡＭ３５に格納される。そして、削除ダイアログ画面３３２の削除ボタン６４が押下されると、制御部３１により、通信部３４が制御され、対象検査が削除された旨の通知、削除理由及び公開削除理由が通信ネットワークＮを介して検査予約サーバ１に送信されるとともに（ステップＳ９５）、表示部３３に表示されている未送信リストから対象検査が削除される（ステップＳ９６）。
以上で、検査削除処理が終了する。
【０１２８】
検査削除処理により、本当に検査予約サーバ１への検査結果の送信が必要な検査のみを未送信リスト上に表示することができる。
【０１２９】
（予約先の予約リスト表示処理）
図１７は、Ｂ病院内の病院内端末装置３０において実行される予約先の予約リスト表示処理を示すフローチャートである。この処理は、制御部３１と記憶部３６に記憶されているプログラムとの協働によるソフトウェア処理によって実現される。
【０１３０】
まず、制御部３１により、「期限切れカウンタ」、「当日カウンタ」、「１日前カウンタ」、「２日前カウンタ」がそれぞれ「０」に初期化される（ステップＳ１０１）。これらのカウンタの値は、ＲＡＭ３５に記憶される。
【０１３１】
次に、制御部３１により、Ｂ病院における検査の検査予約情報（予約先施設名称がＢ病院の検査予約情報）が検査予約サーバ１から取得される（ステップＳ１０２）。具体的には、制御部３１により、通信部３４が制御され、Ｂ病院における検査の検査予約情報の取得要求が通信ネットワークＮを介して検査予約サーバ１に送信され、通信部３４により、検査予約サーバ１から通信ネットワークＮを介して検査予約情報が受信される。
【０１３２】
次に、制御部３１により、取得された検査予約情報に係る検査が表示部３３の予約リストに表示される（ステップＳ１０３）。
【０１３３】
次に、制御部３１により、取得された検査予約情報に含まれる検査ステータス情報が「受付済み」、「検査済み」、「一時保存」、「返信あり（Ｘ／Ｎ）」又は「再送あり（Ｘ／Ｎ）」（ただし、Ｘ≠Ｎ）であるか否かが判断される（ステップＳ１０４）。すなわち、制御部３１により、検査予約情報に含まれる検査ステータス情報に基づいて、病院内システム２Ｂにおいて受付処理が済んでおり、かつ、病院内システム２Ｂから検査予約サーバ１への検査結果の送信が終了していない状態であるか否かが判断される。
【０１３４】
検査ステータス情報が「受付済み」、「検査済み」、「一時保存」、「返信あり（Ｘ／Ｎ）」又は「再送あり（Ｘ／Ｎ）」（ただし、Ｘ≠Ｎ）である場合には（ステップＳ１０４；ＹＥＳ）、制御部３１により、期限切れチェック処理が行われる（ステップＳ１０５）。期限切れチェック処理については、図１３に示した期限切れチェック処理と同様であるため、説明を省略する。
【０１３５】
ステップＳ１０５の後、又は、ステップＳ１０４において、対象検査の検査ステータス情報が「受付済み」、「検査済み」、「一時保存」、「返信あり（Ｘ／Ｎ）」又は「再送あり（Ｘ／Ｎ）」（ただし、Ｘ≠Ｎ）でない場合に（ステップＳ１０４；ＮＯ）、検査予約サーバ１の検査ＤＢ１８にＢ病院における他の検査があるときには（ステップＳ１０６；ＹＥＳ）、ステップＳ１０２に戻り、処理が繰り返される。
【０１３６】
ステップＳ１０６において、検査予約サーバ１の検査ＤＢ１８にＢ病院における他の検査がない場合には（ステップＳ１０６；ＮＯ）、制御部３１により、メッセージ表示処理が行われる（ステップＳ１０７）。メッセージ表示処理については、図１４に示したメッセージ表示処理と同様であるため、説明を省略する。
以上で、予約先の予約リスト表示処理が終了する。
【０１３７】
図１８に、病院内端末装置３０の表示部３３に表示される予約リスト画面３３３の例を示す。予約リスト画面３３３は、検査予約サーバ１を利用してＡ診療所等の医療施設からＢ病院に対して検査予約が行われた検査の一覧を表示するものである。予約リスト画面３３３には、予約リスト表示領域７１、メッセージ表示領域７２が含まれる。
【０１３８】
予約リスト表示領域７１には、予約元施設名称欄７３、患者氏名欄７４、診療科欄７５、予約内容欄７６、予約日時欄７７、検査進行状態欄７８、返信完了予定日欄７９、「未送信リストから削除」チェック欄８０、削除理由欄８１、公開削除理由欄８２が設けられている。予約元施設名称欄７３、患者氏名欄７４、診療科欄７５、予約内容欄７６、予約日時欄７７、返信完了予定日欄７９には、それぞれ、検査予約サーバ１から取得された検査予約情報に含まれる予約元施設名称、患者氏名、診療科、予約内容、予約日時、返信完了予定日が表示される。検査進行状態欄７８には、検査予約サーバ１から取得された検査予約情報に含まれる検査ステータス情報に基づいて、検査進行状態が表示される。「未送信リストから削除」チェック欄８０には、検査予約サーバ１から取得された検査予約情報に含まれる検査ステータス情報が「返信なし」の場合（検査予約情報に含まれる削除フラグがＯＮの場合）に、チェックマークが表示される。すなわち、未送信リスト画面３３１において削除された列に対応する検査にチェックマークが付される。削除理由欄８１、公開削除理由欄８２には、検査予約サーバ１から取得された検査予約情報に含まれる検査ステータス情報が「返信なし」の場合に、検査予約情報に含まれる削除理由、公開削除理由（削除ダイアログ画面３３２にて入力された削除理由、公開削除理由）が表示される。
【０１３９】
メッセージ表示領域７２は、注意すべき検査が存在することを警告するためのメッセージが表示される領域である。メッセージ表示領域７２における表示内容は、未送信リスト画面３３１のメッセージ表示領域４２と同様である。
【０１４０】
（予約元の予約リスト表示処理）
図１９は、Ａ診療所内の診療所内端末装置２０において実行される予約元の予約リスト表示処理を示すフローチャートである。この処理は、制御部２１と記憶部２６に記憶されているプログラムとの協働によるソフトウェア処理によって実現される。
【０１４１】
まず、制御部２１により、Ａ診療所から予約された検査の検査予約情報（予約元施設名称がＡ診療所の検査予約情報）が検査予約サーバ１から取得される（ステップＳ１１１）。具体的には、制御部２１により、通信部２４が制御され、Ａ診療所から予約された検査の検査予約情報の取得要求が通信ネットワークＮを介して検査予約サーバ１に送信され、通信部２４により、検査予約サーバ１から通信ネットワークＮを介して検査予約情報が受信される。ただし、検査予約サーバ１から診療所内端末装置２０に送信される検査予約情報に含まれる検査ステータス情報が「返信なし」の場合、当該検査予約情報には公開削除理由は含まれるが、削除理由は含まれない。
【０１４２】
次に、制御部２１により、取得された検査予約情報に係る検査が表示部２３の予約リストに表示される（ステップＳ１１２）。
次に、検査予約サーバ１の検査ＤＢ１８にＡ診療所から予約された他の検査（予約元施設名称がＡ診療所の検査予約情報に係る検査）がある場合には（ステップＳ１１３；ＹＥＳ）、ステップＳ１１１に戻り、処理が繰り返される。
【０１４３】
ステップＳ１１３において、検査予約サーバ１の検査ＤＢ１８にＡ診療所から予約された他の検査がない場合には（ステップＳ１１３；ＮＯ）、予約元の予約リスト表示処理が終了する。
【０１４４】
図２０に、診療所内端末装置２０の表示部２３に表示される予約リスト画面２３１の例を示す。予約リスト画面２３１は、検査予約サーバ１を利用してＡ診療所からＢ病院等の医療施設に対して検査予約が行われた検査の一覧を表示するものである。予約リスト画面２３１には、予約リスト表示領域９１が含まれる。
【０１４５】
予約リスト表示領域９１には、予約先施設名称欄９２、患者氏名欄９３、診療科欄９４、予約内容欄９５、予約日時欄９６、検査進行状態欄９７、状態理由欄９８が設けられている。予約先施設名称欄９２、患者氏名欄９３、診療科欄９４、予約内容欄９５、予約日時欄９６には、それぞれ、検査予約サーバ１から取得された検査予約情報に含まれる予約先施設名称、患者氏名、診療科、予約内容、予約日時が表示される。検査進行状態欄９７には、検査予約サーバ１から取得された検査予約情報に含まれる検査ステータス情報に基づいて、検査進行状態が表示される。状態理由欄９８には、検査予約サーバ１から取得された検査予約情報に含まれる検査ステータス情報が「返信なし」の場合に、検査予約情報に含まれる公開削除理由が表示される。
【０１４６】
検査ステータス情報を「返信なし」にした理由を予約元の医療施設に公開することにより、予約元の医療施設側でも、検査結果が送信されないデータとして認識することが可能となり、待つ必要のない検査結果を待たずに済む。
【０１４７】
以上説明したように、本実施の形態における検査予約システム１００によれば、検査結果の催促を自動化することにより、ユーザに注意を喚起することができ、複数の医療施設間における検査予約を利用するユーザの手間を低減させることができる。
【０１４８】
検査予約サーバ１は、検査予約日から予め定められた日数が経過している場合であって、かつ、検査予約情報に係る患者の受付処理は済んでいるが検査予約情報に対応する検査結果が予約先の施設内システムから検査予約サーバ１に送信されていない場合に、記憶部１６から予約先の施設内システムに対応するメールアドレスを読み出し、当該メールアドレス宛てに検査結果の送信を促す旨のメールを自動的に送信することができる。すなわち、自動的に予約先の施設内システムに検査結果の送信を促す旨のメールを送信するので、ユーザの手間を低減させることができる。
【０１４９】
また、病院内端末装置３０は、病院内システム２Ｂにおいて検査予約情報に係る患者の受付処理は済んでいるが検査予約情報に対応する検査結果が病院内システム２Ｂから検査予約サーバ１に送信されていない検査の一覧（未送信リスト）を表示するので、ユーザは検査結果を送信すべき検査（送信し忘れている検査）を容易に把握することができる。
【０１５０】
なお、上記実施の形態における記述は、本発明に係る検査予約システム及び検査予約サーバの例であり、これに限定されるものではない。システムを構成する各装置の細部構成及び細部動作に関しても本発明の趣旨を逸脱することのない範囲で適宜変更可能である。
【０１５１】
例えば、上記実施の形態では、検査予約サーバ１がメール送信処理を行う場合について説明したが、予約元の施設内システムから予約先の施設内システムに検査結果の送信を促す旨のメールを送信することとしてもよい。
【０１５２】
また、上記実施の形態では、病院内端末装置３０において、返信完了予定日（期限）を過ぎている検査があれば「期限切れ○件」、返信完了予定日を過ぎている検査はないが返信完了予定日当日の検査があれば「期限日○件」、返信完了予定日を過ぎている検査及び返信完了予定日当日の検査はないが返信完了予定日まであと１日の検査があれば「期限１日前○件」等というように、メッセージ表示領域４２，７２にメッセージを表示する場合について説明したが、「期限切れ○件」、「期限日○件」、「期限１日前○件」、「期限２日前○件」等のメッセージを並べて表示してもよい。また、期限２日前までに限定されず、期限３日前の検査、期限４日前の検査、・・・等についても、リストとともに該当する検査が存在すること、及び、その件数を表示して警告することとしてもよい。
【０１５３】
また、検査予約サーバ１において、病院内システム２Ｂ等の予約先の施設内システムから直接的な検査ステータス情報の変更指示を取得した場合に検査ステータス情報を変更することとしてもよいし、何らかのデータの受信を契機として検査ステータス情報を変更することとしてもよい。
【０１５４】
以上の説明では、各処理を実行するためのプログラムを格納したコンピュータ読み取り可能な媒体としてＨＤＤや不揮発性メモリを使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１５５】
１  検査予約サーバ
２Ａ  診療所内システム
２Ｂ  病院内システム
３Ａ，３Ｂ  受付装置
４Ａ，４Ｂ  モダリティ
５Ａ，５Ｂ  ＰＡＣＳ
６Ａ，６Ｂ  施設内ネットワーク
７Ａ，７Ｂ  ルータ
８Ｂ  連携ＧＷ
１１  制御部
１２  操作部
１３  表示部
１４  通信部
１５  ＲＡＭ
１６  記憶部
１７  バス
１８  検査ＤＢ
２０  診療所内端末装置
２１  制御部
２２  操作部
２３  表示部
２４  通信部
２５  ＲＡＭ
２６  記憶部
２７  バス
３０  病院内端末装置
３１  制御部
３２  操作部
３３  表示部
３４  通信部
３５  ＲＡＭ
３６  記憶部
３７  バス
１００  検査予約システム
２３１  予約リスト画面
３３１  未送信リスト画面
３３２  削除ダイアログ画面
３３３  予約リスト画面
Ｎ  通信ネットワーク
【図１】
2012146043.tif 000003
【図２】
2012146043.tif 000004
【図３】
2012146043.tif 000005
【図４】
2012146043.tif 000006
【図５】
2012146043.tif 000007
【図６】
2012146043.tif 000008
【図７】
2012146043.tif 000009
【図８】
2012146043.tif 000010
【図９】
2012146043.tif 000011
【図１０】
2012146043.tif 000012
【図１１】
2012146043.tif 000013
【図１２】
2012146043.tif 000014
【図１３】
2012146043.tif 000015
【図１４】
2012146043.tif 000016
【図１５】
2012146043.tif 000017
【図１６】
2012146043.tif 000018
【図１７】
2012146043.tif 000019
【図１８】
2012146043.tif 000020
【図１９】
2012146043.tif 000021
【図２０】
2012146043.tif 000022